(57)【要約】【課題】カバーの取り外しがし易い電気機器を提供する。【解決手段】カバー１０に突設した掛止爪１４をケース１に突設した被掛止部２６ａに係止してカバー１０を固定する電気機器において、たわみ自在な撓み部２６を被掛止部２６ａと一体に設け、カバー１０において撓み部２６と対向する面に傾斜部１５を形成した。ここで、傾斜部１５の下端部と撓み部２６との間には、下方から治具Ｊが挿入される開口Ａが形成され、且つ撓み部２６と傾斜部１５との隙間Ｂは、治具Ｊの挿入向きに沿って徐々に狭くなっている。これにより、治具Ｊを挿入向きに押込むだけで撓み部２６がたわんで隙間Ｂが拡張され、掛止爪１４が被掛止部２６ａから外れるため、カバー１０を容易に取り外すことができる。【選択図】図１
2010258238.tif 000002
【特許請求の範囲】
【請求項１】
所定の機能を有する機器本体と、該機器本体を収納する略箱状のケースと、防水性を有する材料から形成されたカバーと、前記カバーを前記ケースに変位自在に取り付ける係止手段と、前記ケースに前記カバーを固定する固定手段と、前記固定手段による前記カバーの固定を解除する解除手段とを備え、
前記固定手段は、前記カバーに突設された掛止爪及び前記ケースに設けられ前記掛止爪を掛止する被掛止部からなり、前記解除手段は、前記被掛止部と一体に設けられ前記被掛止部に前記掛止爪が掛止する位置と掛止されない位置との間でたわみ自在に形成された撓み部からなり、
前記撓み部と前記カバーとの間には治具が挿入される開口部が設けられ、該開口部から前記治具の挿入向きに沿って前記撓み部との距離を徐々に縮小する傾斜部が、前記カバーの撓み部との対向面に形成されていることを特徴とする電気機器。
【請求項２】
前記係止手段は、前記ケースに設けられた嵌合溝及び前記カバーに設けられ前記嵌合溝に対してスライド嵌合する嵌合片からなることを特徴とする請求項１記載の電気機器。
【請求項３】
前記掛止爪は、前記傾斜部から離れるに従ってその突出高さが徐々に低くなることを特徴とする請求項１又は２記載の電気機器。
【請求項４】
前記機器本体は、人体から放射される熱線を検知する熱線センサ及び、該熱線センサの出力に基づき人の存否に応じてオン・オフ信号を出力する信号処理部を備えていることを特徴とする請求項１〜３のいずれか記載の電気機器。
【発明の詳細な説明】
【技術分野】
【０００１】
本発明は、カバーを備えた電気機器に関するものである。
【背景技術】
【０００２】
従来、ケースにカバーを取り付けてケース内部への水の浸入を抑制した、例えば特許文献１に記載された防水コンセントのような電気機器がある。
【０００３】
上記従来例のケースは、下面に開口を有し、後面を外壁に接した状態で露設される。またケースの左右両側面には上下方向に嵌合溝が凹設されており、前面下端部には、この下端部から上方へ向かう一対の切り込みによって水平方向へたわみ自在に形成された撓み部が設けられている。カバーは下面開口であって、ケースの上面、前面及び左右両側面を覆い、且つ上記ケースの嵌合溝と対向する面には嵌合片が突設され撓み部と対向する面には掛止爪が突設されている。またケースの内部には、ケース下面の開口から栓刃挿入口を露出させたコンセントが収納されており、このコンセントは造営面から引き出された電線に電気的に接続されている。
【０００４】
上記カバーは、嵌合片をケースの嵌合溝に差し込むことで、上下方向へスライド自在にケースに係止される。ここからカバーを下方へスライドさせると、ケース前面の撓み部がカバーの掛止爪に押込まれて水平方向後方（ケースの内部方向）へ変位する。カバーをさらに下方へスライドさせて掛止爪が撓み部の下端よりも下方へ至ると、後方へ押込まれていた撓み部が前方へと復帰する。このとき掛止爪が撓み部の下端に掛止されることで、このカバーはケースに固定される。
【０００５】
上記のカバーを取り外すには、まず、マイナスドライバーなどの先端が尖った治具を、下方からカバーと撓み部との隙間に挿入する。次に、治具の持ち手を力点、治具の先端とカバーとの接点を支点、撓み部下端と治具との接点を作用点として治具を水平方向後方へ押込み、撓み部を後方へたわませて、掛止爪を撓み部から掛け外す。そしてカバーを上向きにスライドさせ嵌合片を嵌合溝から外すことで、カバーを取り外すことができる。
【先行技術文献】
【特許文献】
【０００６】
【特許文献１】特開２００７−１０３２５８号公報
【発明の概要】
【発明が解決しようとする課題】
【０００７】
しかし上記のような電気機器では、カバーを取り外す際に、カバーと撓み部との隙間に挿入された治具を水平方向後方に押込むと、撓み部が後方へたわむと同時に、治具の先端に当接したカバーの前壁が治具によって前方へと押し出される。このためカバーの前壁に歪みが生じ、カバーが左右方向へ縮むことになる。これによってケースの左右両側面とカバーの覆い面が密接し、カバーが外しにくくなるという難点があった。
【０００８】
本発明は上記の課題に鑑みてなされたものであり、カバーの取り外しが容易な電気機器を提供することを目的とする。
【課題を解決するための手段】
【０００９】
上記の目的を達成するために、請求項１の発明は、所定の機能を有する機器本体と、該機器本体を収納する略箱状のケースと、防水性を有する材料から形成されたカバーと、前記カバーを前記ケースに変位自在に取り付ける係止手段と、前記ケースに前記カバーを固定する固定手段と、前記固定手段による前記カバーの固定を解除する解除手段とを備え、前記固定手段は、前記カバーに突設された掛止爪及び前記ケースに設けられ前記掛止爪を掛止する被掛止部からなり、前記解除手段は、前記被掛止部と一体に設けられ前記被掛止部に前記掛止爪が掛止する位置と掛止されない位置との間でたわみ自在に形成された撓み部からなり、前記撓み部と前記カバーとの間には治具が挿入される開口部が設けられ、該開口部から前記治具の挿入向きに沿って前記撓み部との距離を徐々に縮小する傾斜部が、前記カバーの撓み部との対向面に形成されていることを特徴とする。
【００１０】
請求項１の発明によれば、カバー前壁の下端部に、前壁よりも厚く且つ下方へ向かうに従ってその厚みが増加する傾斜部を設けたことでカバーが歪みにくくなり、また、カバーと撓み部の間隔が治具の挿入向きに沿って徐々に狭くなっていることで、治具を挿入向きに押込むだけで撓み部がたわむことになる。これにより、従来よりも容易にカバーを取り外すことができる。
【００１１】
請求項２の発明は、請求項１の発明において、前記係止手段は、前記ケースに設けられた嵌合溝及び前記カバーに設けられ前記嵌合溝に対してスライド嵌合する嵌合片からなることを特徴とする。
【００１２】
請求項２の発明によれば、嵌合溝に嵌合片をスライド嵌合させることで、容易にカバーをケースに取り付けることができる。
【００１３】
請求項３の発明は、請求項１又は２の発明において、前記掛止爪は、前記傾斜部から離れるに従ってその突出高さが徐々に低くなることを特徴とする。
【００１４】
請求項３の発明によれば、掛止爪の突出高さを治具の挿入部近傍で最も高く、この挿入部から離れるに従って低くすることで、治具の挿入によってカバーが歪んだ場合でも掛止爪が被掛止部から外れやすくなり、容易にカバーの取り外しができる。
【００１５】
請求項４の発明は、請求項１〜３のいずれかの発明において、前記機器本体は、人体から放射される熱線を検知する熱線センサ及び、該熱線センサの出力に基づき人の存否に応じてオン・オフ信号を出力する信号処理部を備えていることを特徴とする。
【００１６】
請求項４の発明によれば、請求項１〜３の発明と同様の作用を奏するカバー及びケースを備えた、熱線感知式自動スイッチを提供することができる。
【発明の効果】
【００１７】
本発明は、カバーの取り外しが容易な電気機器を提供することができる。
【図面の簡単な説明】
【００１８】
【図１】（ａ）は実施形態１に係る熱線センサ付自動スイッチＴＳのカバー１０及び前ケース２０の断面図、（ｂ）は撓み部２６と傾斜部１５との間の隙間Ｂに治具Ｊを挿入したときの傾斜部１５周辺の拡大図である。
【図２】実施形態１に係る熱線センサ付自動スイッチＴＳを用いる遠隔監視制御システムのシステム構成図である。
【図３】（ａ）〜（ｃ）は、実施形態１に係る熱線センサ付自動スイッチＴＳを用いる遠隔監視制御システムの、伝送信号の説明図である。
【図４】実施形態１に係る熱線センサ付自動スイッチＴＳのブロック図である。
【図５】（ａ）〜（ｄ）は、実施形態１に係る熱線センサ付自動スイッチＴＳを用いる遠隔監視制御システムの、動作を説明するタイムチャートである。
【図６】実施形態１に係る熱線センサ付自動スイッチＴＳの分解斜視図である。
【図７】実施形態１に係る熱線センサ付自動スイッチＴＳの機器本体２の分解斜視図である。
【図８】実施形態１に係る熱線センサ付自動スイッチＴＳのカバー１０の後方斜視図である。
【図９】実施形態１に係る熱線センサ付自動スイッチＴＳの下面図である。
【図１０】（ａ）は実施形態２に係る熱線センサ付自動スイッチＴＳを下方から見た概略図、（ｂ）は（ａ）とは異なる構造の掛止爪１４を備えた実施形態２に係るカバー１０の概略図である。
【発明を実施するための形態】
【００１９】
（実施形態１）
以下、本発明を遠隔監視制御システムに用いられる熱線センサ付自動スイッチに適用した実施形態について説明する。
【００２０】
図２は全体のシステム構成図であり、それぞれ個別のアドレスデータが設定された端末器としての熱線センサ付自動スイッチの親機ＴＳ、センサ入切用スイッチＳＷ、及びリレー制御端末器ＲＴを２線式の信号線Ｌｓに接続するとともに、この信号線Ｌｓに伝送ユニットＣＵを接続してある。尚、図２では図示を省略しているが、信号線Ｌｓには複数台のリレー制御端末器ＲＴが接続されており、熱線センサ付自動スイッチＴＳにより複数台の照明器具Ｌを制御している。
【００２１】
伝送ユニットＣＵは、アドレスデータを含む伝送信号を信号線Ｌｓに時分割多重伝送方式で送出することによって各端末器を個別にアクセスし、伝送信号に同期して設定した信号返信期間に何れかの端末器からの監視データを受信すると、監視データに基づいて制御データを作成し、監視データを発生した端末器とアドレスの対応関係が設定された端末器に対して制御データを伝送信号により伝送し、当該端末器では受信した制御データにより負荷の動作を制御するようになっている。
【００２２】
熱線センサ付自動スイッチＴＳは、所定の検知エリア内の人体から放射される熱線を検出することによって、検知エリア内の人の存否を検出する熱線センサ（図示せず）を備える。また熱線センサ付自動スイッチＴＳには、異なる検知エリア内の人体から放射される熱線を検出する熱線センサを具備した熱線センサ子機ＴＳａが子機信号線Ｌｓａを介して接続されており、内蔵する熱線センサ及び熱線センサ子機ＴＳａの出力を監視し、それらの内の何れかが熱線を検出すると、割込信号を発生して伝送ユニットＣＵに監視データを送出するようになっている。
【００２３】
センサ入切用スイッチＳＷは、熱線センサ付自動スイッチＴＳによる照明器具Ｌの制御動作を入／切するためのスイッチＳＷ１と、熱線センサ付自動スイッチＴＳによる制御動作の入状態及び切状態をそれぞれ表示する発光ダイオードのような表示灯ＬＤａ、ＬＤｂを備え、スイッチＳＷ１の押操作に応じて監視データを伝送ユニットＣＵに伝送するようになっている。
【００２４】
リレー制御端末器ＲＴは、負荷である照明器具Ｌへの電源供給を入／切するリレー（図示せず）を備え、受信した制御データに応じて対応するリレーをオン／オフすることで、照明器具Ｌを点灯又は消灯させる。なおリレーには一般にラッチング型のものが用いられ、リレー制御端末器ＲＴはリレーを動作させる際にリレーにパルス的に電源を供給する。
【００２５】
次に遠隔監視制御システムの動作を簡単に説明する。尚、簡単のために熱線センサ付自動スイッチＴＳ及びセンサ入切用スイッチＳＷをまとめて監視用端末器と呼称する。
【００２６】
伝送ユニットＣＵは、信号線Ｌｓに対して、図３（ａ）に示すフォーマットの伝送信号Ｖｓを送出する。すなわち、伝送信号Ｖｓは、信号送出開始を示す同期信号ＳＹ、伝送信号Ｖｓのモードを示すモードデータＭＤ、アクセスする端末器（監視用端末器ＴＳ、ＳＷ及びリレー制御端末器ＲＴ）のアドレス（８ビット）を示すアドレスデータＡＤ、制御内容を示す制御データＣＤ、伝送誤りを検出するためのチェックサムデータＣＳ、端末器から返送信号（監視データ）を返送させるために設けられたタイムスロットである信号返送期間ＷＴよりなる双極性（±２４Ｖ）の時分割多重信号であり、パルス幅変調によってデータが伝送されるようになっている（図３（ｂ）参照）。
【００２７】
監視用端末器ＴＳ、ＳＷ及びリレー制御端末器ＲＴでは、基本的には、信号線Ｌｓを介して受信した伝送信号ＶｓのアドレスデータＡＤと予め設定されている自己のアドレスデータとが一致したとき、その伝送信号Ｖｓの制御データＣＤを取り込むとともに、伝送信号Ｖｓの信号返送期間ＷＴに同期して監視データを電流モード信号（信号線Ｌｓ間を適当な低インピーダンスを介して短絡することにより送出される信号）で伝送ユニットＣＵに返送する。
【００２８】
ここで、伝送ユニットＣＵから所望の端末器ＴＳ、ＳＷ、ＲＴにデータを伝送する場合には、モードデータＭＤを制御モードとし、アドレスデータＡＤを所望の端末器ＴＳ、ＳＷ、ＲＴのアドレスとした伝送信号Ｖｓを信号線Ｌｓに送出すれば、アドレスデータＡＤの一致する端末器ＴＳ、ＳＷ、ＲＴが制御データＣＤを受け取り、信号返送期間ＷＴに監視データを返送する。伝送ユニットＣＵでは、送出した制御データＣＤと信号返送期間ＷＴに受信した監視データとをもとに制御データＣＤが所望の端末器ＴＳ、ＳＷ、ＲＴに伝送されたことを確認する。また、リレー制御端末器ＲＴは受け取った制御データＣＤに従ってリレーの動作を指示し、センサ入切用スイッチＳＷでは受け取った制御データＣＤに従って表示灯ＬＤａ、ＬＤｂを点灯又は消灯させるなどの動作を行う。
【００２９】
一方、伝送ユニットＣＵは通常時にはモードデータＭＤをダミーモードとした伝送信号Ｖｓを一定時間間隔で送出しており（常時ポーリング）、監視用端末器ＴＳ、ＳＷが監視入力（熱線センサの検知入力やスイッチの操作入力）に応じて伝送ユニットＣＵに対し何らかの情報を伝送しようとするときには、ダミーモードの伝送信号Ｖｓの同期信号ＳＹに同期させて、図３（ｃ）のような割込信号Ｖｉを発生させる。
【００３０】
この時、監視用端末器ＴＳ、ＳＷは割込フラグを設定して伝送ユニットＣＵとの以後の情報授受に備える。伝送ユニットＣＵでは割込信号Ｖｉを受信すると、モードデータＭＤを割込ポーリングモードとし且つアドレスデータＡＤの上位の半数のビット（アドレスデータＡＤを８ビットとすれば上位４ビット）を順次増加させながら伝送信号を送出し、割込信号Ｖｉを発生した監視用端末器ＴＳ、ＳＷでは、割込ポーリングモードの伝送信号ＶｓにおけるアドレスデータＡＤの上位４ビットが自己のアドレスの上位４ビットに一致するとき、信号返送期間ＷＴ中に自己のアドレスの下位の半数のビット（下位４ビット）を監視データとして伝送ユニットＣＵへ返送する。このように、伝送ユニットＣＵは割込信号Ｖｉを発生した監視用端末器ＴＳ、ＳＷを１６個ずつまとめて探すので、比較的短い時間で監視用端末器ＴＳ、ＳＷを発見することができる。
【００３１】
伝送ユニットＣＵが割込信号Ｖｉを発生した監視用端末器ＴＳ、ＳＷのアドレスを獲得すると、モードデータＭＤを監視モードとし、獲得したアドレスデータＡＤを持つ伝送信号Ｖｓを信号線Ｌｓに送出し、この伝送信号に対して監視用端末器ＴＳ、ＳＷは伝送しようとする情報を信号返送期間ＷＴに返送する。最後に、伝送ユニットＣＵは割込信号を発生した監視用端末器ＴＳ、ＳＷに対して割込フラグのリセットを指示する信号を送出し、監視用端末器ＴＳ、ＳＷの割込フラグを解除する。
【００３２】
以上のようにして、監視用端末器ＴＳ、ＳＷから伝送ユニットＣＵへの情報伝送は、伝送ユニットＣＵから監視用端末器ＴＳ、ＳＷへの４回の信号伝送（ダミーモード、割込ポーリングモード、監視モード、割込リセット）によって完了する。また、伝送ユニットＣＵが所望のリレー制御端末器ＲＴの動作状態を知ろうとするときには、モードデータＭＤを監視データとし、アドレスデータＡＤを所望のリレー制御端末器ＲＴのアドレスとした伝送信号Ｖｓを送出するだけでよく、伝送信号Ｖｓの信号返送期間ＷＴに所望のリレー制御端末器ＲＴからの監視データを取得できる。
【００３３】
ここで、熱線センサ付自動スイッチＴＳの熱線センサ部が人体から放射される熱線を検知して検知信号を発生したり、センサ入切用スイッチＳＷのスイッチＳＷ１が操作されて操作信号が発生すると、熱線センサ付自動スイッチＴＳ又はセンサ入切用スイッチＳＷは割込信号Ｖｉを発生し、上述の伝送手順を経た後に熱線センサ部の検知信号又はスイッチＳＷ１の操作信号に対応した監視データを伝送ユニットＣＵに返送する。そして、伝送ユニットＣＵが、監視用端末器ＴＳ、ＳＷから受け取った監視データをもとに制御データＣＤを作成し、作成した制御データＣＤを対応する端末器に伝送すると、制御データＣＤを受信した端末器が所定の動作を行うのである。例えば熱線センサ付自動スイッチＴＳから熱線センサの検知入力に応じた監視データが返送されると、伝送ユニットＣＵはこの監視データに基づいて作成した制御データをリレー制御端末器ＲＴに送信しており、リレー制御端末器ＲＴは制御データを受信すると、リレーを制御して照明器具Ｌを点灯／消灯させるのである。またセンサ入切用スイッチＳＷからスイッチＳＷ１のオン／オフ操作に応じた監視データが返送されると、伝送ユニットＣＵはこの監視データに基づいて作成した制御データを熱線センサ付自動スイッチＴＳに送信しており、熱線センサ付自動スイッチＴＳは制御データを受信すると、熱線センサの検知入力に基づいた負荷の制御動作をオン／オフするのである。また、熱線センサ付自動スイッチＴＳは、制御動作のオン／オフを示す監視データを伝送ユニットＣＵに返信するようになっており、伝送ユニットＣＵはこの監視データに基づいてセンサ入切用スイッチＳＷに付設している動作モニタ用の表示灯ＬＤａ、ＬＤｂを点灯／消灯させる制御データを伝送しており、この制御データを受け取ったセンサ入切用スイッチＳＷでは、この制御データに基づいて対応する動作モニタ用の表示灯ＬＤａ、ＬＤｂを点灯又は消灯させることで、熱線センサ付自動スイッチＴＳによる制御動作のオン／オフ状態を表示する。
【００３４】
以上説明したように、本システムでは伝送ユニットＣＵに予め設定されたアドレスの対応関係を用いて、端末器間でデータを授受することによって、何れかの監視用端末器ＴＳ、ＳＷの監視入力に応じて対応する端末器の動作を制御するのである。
【００３５】
次に、熱線センサ付自動スイッチＴＳの回路構成を図４に基づいて説明する。
【００３６】
熱線センサ付自動スイッチＴＳの回路部は、図４のブロック図に示すように、信号処理部１００と、センサ回路１０１と、子機信号送受信回路１０２と、明るさ検知回路１０３と、信号送受信回路１０４と、電源回路１０５と、検知状態表示回路１０６と、アドレス設定信号送受信回路１０７ａ、明るさ設定回路１０７ｂ及び動作遅延時間設定回路１０７ｃからなる操作入力回路１０７と、不揮発性メモリ１０８とで構成される。
【００３７】
センサ回路１０１は、人体から放射される熱線を検出する焦電素子のような熱線センサ部（図示せず）を具備し、この熱線センサ部の出力を増幅し、子機信号送受信回路１０２を介して信号処理部１００に出力している。信号処理部１００では、子機信号送受信回路１０２を経由して送信されたセンサ回路１０１の出力と、不揮発性メモリ１０８に記憶された所定の閾値との高低を比較することによって、検知エリア内の人の存否を判定している。
【００３８】
子機信号送受信回路１０２には一対の端子Ｔ２を介して熱線センサ子機ＴＳａが接続されており、信号線Ｌｓを介して入力される伝送信号Ｖｓを全波整流し、さらに定電圧化することで、熱線センサ子機ＴＳａの動作電源を生成して、子機信号線Ｌｓａを介して熱線センサ子機ＴＳａに給電するとともに、端子Ｔ２、Ｔ２間の電圧を監視することで、熱線センサ子機ＴＳａの出力を監視している。すなわち、熱線センサ子機ＴＳａは、人体から放射される熱線を検出する焦電素子のような熱線センサ（図示せず）を具備し、熱線センサが人体からの熱線を検出すると、端子Ｔ２、Ｔ２間の電圧レベルを非検出時に比べて低下させることで、熱線を検出した旨を子機信号送受信回路１０２に報知する。子機信号送受信回路１０２は、端子Ｔ２、Ｔ２間の電圧から熱線センサ子機ＴＳａが熱線を検知したと判断すると、検知信号を信号処理部１００に出力する。
【００３９】
明るさ検知回路１０３は、周囲の明るさを検出するＣｄＳ、フォトダイオード、フォトトランジスタのような明るさセンサ（図示せず）を具備し、明るさセンサの出力を増幅して信号処理部１００に出力している。信号処理部１００では、明るさ検知回路１０３の出力と、明るさ設定回路１０７ｂで設定され不揮発性メモリ１０８に記憶された所定の明るさレベル（設定レベル）との明暗を比較する。
【００４０】
信号送受信回路１０４は、一対の端子Ｔ１、Ｔ１に接続された信号線Ｌｓを介して、伝送ユニットＣＵとの間で多重伝送方式により伝送信号の送受信を行うものであり、信号線Ｌｓを介して入力された伝送信号を信号変換して信号処理部１００に出力し、また信号処理部１００から出力された信号を伝送信号に変換して信号線Ｌｓに送出する。
【００４１】
電源回路１０５は、信号線Ｌｓを介して入力される伝送信号Ｖｓを全波整流器（図示せず）で全波整流し、さらに定電圧回路（図示せず）で定電圧化することによって、内部回路の電源を得ている。
【００４２】
検知状態表示回路１０６は、センサ回路１０１に備えられた熱線センサによる人体の検知に応じて、熱線センサ部に具備された表示灯（図示せず）などの検知確認手段を点灯させる。
【００４３】
操作入力回路１０７は、本スイッチの動作に関わる各種の設定項目（アドレスデータ、明るさレベルの閾値、動作遅延時間）の値を入力したり、設定値の確認を行うためのものである。
【００４４】
不揮発性メモリ１０８は例えばＥＥＰＲＯＭからなり、操作入力回路１０７によって入力された設定項目（アドレスデータなど）の値を記憶する。
【００４５】
また信号処理部１００では、信号送受信回路１０４を介して受信した伝送信号に含まれるアドレスデータが不揮発性メモリ１０８に格納されたアドレスデータに一致すると、伝送信号の制御データを受け取り、制御データに応じた動作をする。また、伝送信号を受信したことを信号送受信回路１０４を通して端子Ｔ１、Ｔ１から信号線Ｌｓに送出する。
【００４６】
ここで、熱線センサ付自動スイッチＴＳの動作を図５に基づいて説明する。センサ入切用スイッチＳＷのスイッチＳＷ１を用いて熱線センサ付自動スイッチＴＳの制御動作をオフさせる操作を行うと、センサ入切用スイッチＳＷは割込信号を送出し、上述の伝送処理を経た後に熱線センサ付自動スイッチＴＳに設定された入切アドレスを返送信号として伝送ユニットＣＵに返送する。この時、伝送ユニットＣＵはセンサ入切用スイッチＳＷから受信した返送信号に基づいて熱線センサ付自動スイッチＴＳに制御動作をオフさせる制御データを送出し、この制御データを受信した熱線センサ付自動スイッチＴＳが制御動作をオフする。
【００４７】
一方、センサ入切用スイッチＳＷのスイッチＳＷ１を用いて熱線センサ付自動スイッチＴＳの制御動作をオンさせる操作を行うと、上述と同様の動作を行って、熱線センサ付自動スイッチＴＳの制御動作がオン状態に設定される。制御動作がオン状態に設定されている場合、熱線センサ付自動スイッチＴＳは、センサ回路１０１、子機信号送受信回路１０２の出力や明るさ検知回路１０３の出力に基づいて負荷を制御する。信号処理部１００は、明るさセンサの検出した明るさが所定の明るさレベルよりも明るい状態では、センサ回路１０１あるいは子機信号送受信回路１０２から検知入力があっても制御動作は行わない。一方、信号処理部１００は、明るさセンサの検出した明るさが所定の明るさレベルよりも暗い状態で、センサ回路１０１あるいは子機信号送受信回路１０２から検知入力があると、信号送受信回路１０４から割込信号を送出させ、上述の伝送手順を経た後にＯＮアドレスのデータ（例えば図５（ｃ）に示す動作保持時間データを備えたパターン制御の、パターンＰ１）を返送信号として伝送ユニットＣＵに返送させる。この時、伝送ユニットＣＵは熱線センサ付自動スイッチＴＳから受信した返送信号に基づいて対応するリレー制御端末器ＲＴに制御データを送出し、複数台の照明器具ＬをパターンＰ１で全点灯させる。その後、検知入力が無くなってから所定の動作保持時間が経過すると、信号処理部１００は、信号送受信回路１０４から割込信号を送出させ、上述の伝送手順を経た後にＯＦＦアドレスのデータ（Ｐ２）を返送信号として伝送ユニットＣＵに返送させる。この時、伝送ユニットＣＵは熱線センサ付自動スイッチＴＳから受信した返送信号に基づいて対応するリレー制御端末器ＲＴに制御データを送出し、パターンＰ２で設定した照明範囲の照明器具Ｌを間引き点灯させる（図５（ｃ）参照）。
【００４８】
なお、負荷を動作遅延時間設定回路１０７ｃで設定された時間だけ遅延動作させる場合には、信号処理部１００は、検知入力があった時点で信号送受信回路１０４から割込信号を送出させ、上述の伝送手順を経た後に上記負荷を制御するリレー制御端末器ＲＴのアドレス（遅延アドレスと言う。）を返送信号として伝送ユニットＣＵに返送させる。この時、伝送ユニットＣＵは熱線センサ付自動スイッチＴＳから受信した返送信号に基づいて対応するリレー制御端末器ＲＴに負荷をＯＮさせる制御データを送出し、負荷を動作（ＯＮ）させる。信号処理部１００は、検知入力が無くなってから所定の動作保持時間が経過し、その後さらに所定の動作遅延時間が経過した時点で信号送受信回路１０４から割込信号を送出させ、上述の伝送手順を経た後に遅延アドレスのデータを返送信号として伝送ユニットＣＵに返送させる。この時、伝送ユニットＣＵは熱線センサ付自動スイッチＴＳから受信した返送信号に基づいて対応するリレー制御端末器ＲＴに負荷をＯＦＦさせる制御データを送出し、対応する負荷を停止（ＯＦＦ）させる（図５（ｄ）参照）。
【００４９】
次に、本実施形態の熱線センサ付自動スイッチＴＳの構造を図１及び図６〜図９に基づいて説明する。本実施形態は、ケース１の内部に機器本体２を収納し、ケース１をカバー１０で覆った構成となっている。なお以下説明中に記載する方向は、それぞれ図６中に示した直交座標の方向に対応する。
【００５０】
第一に、ケース１を図１（ａ）、図６、図７及び図９に基づいて説明する。
【００５１】
ケース１は、前ケース２０と、前ケース２０の後面側に配置され前ケース２０とともに機器本体２の収納空間を形成する後ケース３０と、後ケース３０の後面側に配置されるパッキン４０とから構成される。このケース１は、パッキン４０後面側の凹部に収納された絶縁取付枠５０を介して、外壁などに設置される。
【００５２】
前ケース２０は合成樹脂成形品であり、直方体状で後面が開放されたベース２１と、ベース２１の前面であってベース２１の周壁よりも内側に突設された突台２２とを一体に備えて形成される。
【００５３】
ベース２１において突台２２の上方には、後述する取付用ねじ６０ａが挿通する取付孔２３ａが穿孔されている。また、ベース２１において突台２２の下方には長方形状の凹面２４が形成され、凹面２４の右端には上下一対の係合孔２４ａが、凹面２４の左端には上下方向に長い長方形状の係止孔２４ｂが開口する。凹面２４の中央部には凹部２４ｃが凹設され、凹部２４ｃの凹み面には、後述する取付用ねじ６０ｂが挿通する取付孔２３ｂが穿孔されている。
【００５４】
突台２２は、左右方向の幅寸法がベース部２１の幅寸法よりも小さく、その下部は、突台２２の他の部位よりも前方へ突出した台座部２５となっている。台座部２５は、直方体状の台座基台部２５ａと台座基台部２５ａの上部に形成された台座本体部２５ｂとからなる。台座基台部２５ａ前面の下端には前方へ突出したスペーサ部２５ｃが突設される。また台座基台部２５ａの下面には、ベース２１の前面に連続して開口した露出用窓２０ａが設けられている。さらに台座基台部２５ａ下面であって露出用窓２０ａの左右両側には、保持リブ２５ｄが台座基台部２５ａ前面に跨って突設されている。台座本体部２５ｂの前面は、カバー１０を取り付けた際にカバー１０の前壁１０ｃが接触しないように、側方から見て多段階に折れ曲がって形成される。また突台２２の内側の面には、台座本体部２５ｂの上面から連続したレンズ抑え部２５ｅが突設され、台座本体部２５ｂ内側の面には、前面と左右両側面の結合部分に跨って保持リブ２５ｆが突設されている。そして台座部２５の前面には、上部が閉じた逆凸字状で前後方向にたわみ自在な撓み部２６が形成され、撓み部２６の前面には、左右方向に長い直方体状の被掛止部２６ａが突設されている。
【００５５】
突台２２の前面であって台座部２５よりも上方の部位には、一対の操作摘み孔２７ａ、ＬＥＤ窓２７ｂ、及び設定窓２７ｃが開口し、操作摘み孔２７ａと設定窓２７ｃとの間には取付孔２２ａが穿孔されている。突台２２内側の面には、前面と側面の結合部分に跨って補強リブ２２ｂが形成されている。また、突台２２とベース２１の結合部であって突台２２の上面には、左右一対の補助嵌合孔２８ａが上向きに開口し、突台２２とベース２１の結合部であって突台２２の中央部には、左右一対の嵌合溝２８ｂが上下方向に形成され、台座部２５とベース２１の結合部には、左右一対の嵌合孔２８ｃが台座基台部２５ａの上面に開口している。さらに、突台２２の左右両側面であって突台２２の上端と嵌合溝２８ｂとの間には、突台２２の内外に連通する一対の組立孔２９ａが開口し、台座本体部２５ｂの左右両側面には、突台２２の内外に連通する一対の組立孔２９ｂが開口する。
【００５６】
後ケース３０は合成樹脂成形品であって、基板部３０ａと、基板部３０ａの上部から略Ｌ字状に突設された上部片３０ｂと、基板部３０ａの下部に形成され基板部３０ａよりも左右の幅が広い下部片３０ｃと、基板部３０ａ及び上部片３０ｂの左右両側縁に設けられる側板３０ｄとから構成される（図７参照）。
【００５７】
基板部３０ａ中央部及び上部にはねじ受け用ボス３１が突設され、基板部３０ａから下部片３０ｃに跨る部位には、側板３０ｄに連続する水切り板３２が形成される。また基板部３０ａの上部には、上下一対の係止孔３３ａ及び３３ｂが開口した４組の端子部３３が、左右方向に配列されている。
【００５８】
上部片３０ｂは中央上部に凹みを有する長方形状で、左右両端には取付用ボス３４が前方に突設される。
【００５９】
下部片３０ｃの下部には左右一対の係合孔３５ａが開口している。また左右の水切り板３２の間には、左右一対の狭持リブ３５ｂ及び、保持リブ３５ｃが突設されている。
【００６０】
側板３０ｄの上部には、前ケース２０に設けた組立孔２９ａに凹凸係合する組立フック３６ａを備えた、左右一対の組立脚片３７ａが突設される。また側板３０ｄの下方であって水切り板３２の外部には、前ケース２０に設けた組立孔２９ｂに凹凸係合する組立フック３６ｂを備えた、左右一対の組立脚片３７ｂが突設される。側板３０ｄの前側中央部には、後述する回路基板９０の位置合わせをする左右一対の位置合わせ突起３８が突設されている。
【００６１】
パッキン４０は、軟質塩化ビニルなどの弾性材料から、基板部４０ａと周壁４０ｂとを備えた略直方体状に形成される。ここで周壁４０ｂは、その外周面がベース２１の周壁の内周面に沿うように形成されている。周壁４０ｂの外周には、ベース２１の周壁後部に沿った周縁リブ４１が形成され、パッキン４０を前ケース２０に取り付けた際にはベース２１の周壁と周縁リブ４１とが面一となる。また周壁４０ｂの前面には、ベース２１の後面に形成された嵌合リブ（図示せず）を嵌め込む嵌合溝４２が、この嵌合リブに対応した形状に形成されている。基板部４０ａにおいて突台２２に対応する部位には、信号線Ｌｓ及び子機信号線Ｌｓａを通す長方形状の開口窓４３が形成される。また、基板部４０ａの中央上部には、後述する取付用ねじ６０ａが挿通する取付孔４４ａが穿孔され、基板部４０ａの中央下部には、後述する取付用ねじ６０ｂが挿通する取付孔４４ｂが穿孔されている。
【００６２】
絶縁取付枠５０は、絶縁性材料から略長方形状に形成され、上下一対の取付用孔５１を介して外壁に固定される。また、中央部には信号線Ｌｓ及び子機信号線Ｌｓａを通す開口窓５２が形成され、絶縁取付枠５０の上端にはナットを埋設したねじ取付台５３ａが、同様に下端にはナットを埋設したねじ取付台５３ｂが形成される。
【００６３】
ケース１は、上記の前ケース２０、後ケース３０、及びパッキン４０を結合してなる。後ケース３０は、図６のように前面に機器本体２を保持し、組立フック３６ａを組立孔２９ａに、組立フック３６ｂを組立孔２９ｂに各々凹凸係合して前ケース２０に取り付けられる。このとき、上部片３０ｂの上端は突台２２の内周壁上部に当接し、下部片３０ｃの側面は突台２２の下部でベース２１に当接し、側板３０ｄの側面は突台２２の内側面に当接する。パッキン４０は、ベース２１の後面に形成された図示しない嵌合リブを嵌合溝４２に嵌め込んで、前ケース２０に取り付けられる。このようにして形成されたケース１は、一対の取付用ねじ６０ａ、６０ｂを、それぞれ前方から取付孔２３ａ、２３ｂ及び取付孔４４ａ、４４ｂに挿通し、ねじ取付台５３ａ、５３ｂに螺合することで、一体として絶縁取付枠５０に結合される。また凹面２４は、係合孔２４ａに係止される上下一対の係合突部６１ａ及び係止孔２４ｂに係止される上下一対の係合片６１ｂを備えた長方形状の蓋部６１により、覆蓋される。さらに、突台２２の前面には、操作摘み孔２７ａ、ＬＥＤ窓２７ｂ、及び設定窓２７ｃにそれぞれ対応する孔が開口した銘板６２が、取付孔２２ａを介して取り付けられる。
【００６４】
第二に、機器本体２を図７に基づいて説明する。
【００６５】
機器本体２は、レンズ部７０及び回路基板９０を備えている。
【００６６】
レンズ部７０は、レンズ基台７１と受光レンズ７２とレンズ枠７３とを結合して略半球状に形成され、レンズ基台７１と受光レンズ７２との間には、熱線センサ７４と、ＬＥＤ７５と、スペーサ７６ａを介したフォトダイオード７６と、コネクタ７７とを備えたセンサ基板７８が収納される。
【００６７】
レンズ基台７１は、円環と球の上端とを円板で繋いだ形状で、円環部分には嵌合凹部７１ａ及び嵌合突起７１ｂが設けられる。受光レンズ７２は、熱線が透過可能な半透明材料により形成された複合レンズ部７２ａが中央部に設けられ、周部はレンズ基台７１とレンズ枠７３との間に保持される保持部７２ｂになっている。複合レンズ部７２ａは全体としてはドーム状であって、複数個の微小レンズに分割されている。すなわち、熱線センサ７４は入射する熱線量が変化したときにだけ信号を出力するので、熱線センサ７４の検知領域を複数の小さな領域に分割することで、検知領域内における人体の微小な動きを検出できるようにしてある。レンズ枠７３は、嵌合凸部７３ａ及び嵌合溝７３ｂを上部に有し、内周壁にリング部７３ｃを有する円環状に形成されている。嵌合凸部７３ａは嵌合凹部７１ａに嵌合し、嵌合溝７３ｂは嵌合突起７１ｂに嵌合し、受光レンズ７２の保持部７２ｂがリング部７３ｃに係止される。
【００６８】
センサ基板７８はセンサ回路１０１、明るさ検知回路１０３、及び検知状態表示回路１０６を備え、コネクタ７７を介して回路基板９０に接続される。ＬＥＤ７５は熱線センサ７４の検知領域を確認するための検知確認手段であって、検知状態表示回路１０６に具備され、熱線センサ７４による熱線の検知に応じて点灯する。フォトダイオード７６は明るさ検知回路１０３に具備され、明るさセンサとして機能する。
【００６９】
上記のレンズ部７０は、レンズ保持用枠８０に対して首振り自在に装着される。レンズ保持用枠８０は、台座基台部２５ａの下面からベース２１の前面に連続して形成された露出用窓２０ａに装着されるように、Ｌ字状に形成される。すなわちレンズ保持用枠８０は、台座基台部２５ａ下面の保持リブ２５ｄに係止される横板８１と、ベース２１に合致する縦板８２とを有している。横板８１の中央部には円筒状の保持枠部８１ａが上下に貫通する形で形成される。保持枠部８１ａの内径はレンズ枠７３の下端部外径と上端部外径との間の寸法を有し、レンズ部７０が保持枠部８１ａから脱落せずに保持枠部８１ａの内側で首振り可能となるようにしてある。
【００７０】
横板８１後端の左右両側に突設された突板部８１ｂは、後ケース３０に設けられた狭持リブ３５ｂに狭持され、縦板８２の後側下端部に設けられた一対の係合突起（図示せず）が係合孔３５ａに係止される。このようにして、レンズ部７０及びレンズ保持用枠８０は後ケース３０に仮保持されることになる。また、後ケース３０に前ケース２０を取り付けると、横板８１の前端部は、露出用窓２０ａから保持枠部８１ａが露出した状態で保持リブ２５ｄに支持され、縦板８２はベース２１の前面と面一となる。そして、レンズ基台７１がレンズ抑え部２５ｅの下側に配置される。またレンズ部７０の上部には、前ケース２０の保持リブ２５ｆ及び後ケース３０の保持リブ３５ｃに係止される板バネ７９が配置され、この板バネ７９によってレンズ部７０の首振り角度が制限される。このようにして、後ケース３０と前ケース２０を結合することにより、レンズ部７０及びレンズ保持用枠８０がケース１に固定されることになる。
【００７１】
回路基板９０には、信号処理部１００、子機信号送受信回路１０２、信号送受信回路１０４、電源回路１０５、操作入力回路１０７、及び不揮発性メモリ１０８が具備されている。
【００７２】
回路基板９０の上部には４個の係止孔９０ａが左右方向に配列され、中央上部及び下部には取付孔９０ｂが穿孔され、下部には一対のベースポスト９０ｃが取り付けられ、側面には位置合わせ溝９０ｄが形成されている。この回路基板９０は、位置逢わせ溝９０ｄに位置合わせ突起３８を嵌め込み、取付孔９０ｂに挿通した一対の取付ねじ（図示せず）をねじ受け用ボス３１に螺合して、後カバー３０に取り付けられる。係止孔９０ａには、後ケース３０の後方から係止孔３３ａ及び３３ｂを介して端子部３３に取付られた端子ブロック９１が、上部の端子板９１ａによって係止される。この端子ブロック９１は、造営面から引き出され開口窓５２及び４３を通された信号線Ｌｓ及び子機信号線Ｌｓａを介して、伝送ユニットＣＵ及び熱線センサ子機ＴＳａと機器本体２とを接続する。またベースポスト９０ｃは、コネクタ７７を介して回路基板９０とセンサ基板７８とを接続する。
【００７３】
回路基板９０の前面下部には、回転自在な摘みを備えたボリューム９２及びボリューム９３が、ボリューム９３についてはスペーサ９３ａを介して具備される。またボリューム９３の左側には、ＬＥＤ９４ａ、９４ｂ及びフォトダイオード９４ｃが備えられる。ボリューム９２は明るさ設定回路１０７ｂに接続され、摘みを回すことで不揮発性メモリ１０８に記憶させる明るさレベルの閾値を切り替え可能になっている。また、ボリューム９３は動作遅延時間設定回路１０７ｃに接続され、動作遅延時間を調整する。ＬＥＤ９４ｂ及びフォトダイオード９４ｃはアドレス設定信号送受信回路１０７ａに具備され、光信号によって所定の設定器とアドレスデータの送受信を行う。ＬＥＤ９５ａは、上記送受信が正確に行われているかを知らせるための報知手段として備えられている。
【００７４】
前ケース２０に、上記機器本体２を保持した後ケース３０が固定されると、ボリューム９２及び９３は前ケース２０の操作摘み孔２７ａから突出する。ここで、突台２２前面に取着される銘板６２には、明るさレベルの閾値あるいは動作遅延時間が、ボリューム９２あるいは９３の回転位置に応じて記されている。このとき、ＬＥＤ９４ａはＬＥＤ窓２７ｂから露出し、ＬＥＤ９４ｂ及びフォトダイオード９４ｃは設定窓２７ｃから露出している。
【００７５】
第三に、図１及び図８に基づいてカバー１０を説明する。
【００７６】
カバー１０は、合成樹脂などの防水性材料から、上壁１０ａ、左右両側の側壁１０ｂ、及び前壁１０ｃを備えて形成される。左右の側壁１０ｂは、下辺が上辺よりも長い垂直台形状となっている。このカバー１０は、突台２２の上面と左右両側面と前面とを覆って前ケース２０に取り付けられる。
【００７７】
上壁１０ａの後端には、下方へ突出した一対の補助嵌合片１１ａが形成されている。また、左右の側壁１０ｂの後端中央部には、内部へ突出した一対の嵌合片１１ｂが形成され、左右の側壁１０ｂの後端下部には、内部へ突出した一対の嵌合片１１ｃが形成されており、この嵌合片１１ｃの下端には係止突起１１ｄが突設される。
【００７８】
前壁１０ｃの内壁面には、前壁１０ｃを上下方向に３分割するように左右に伸びた補強リブ１２ａ、１２ｂが形成され、カバー１０の上部には、側壁１０ｂと前壁１０ｃに跨って左右一対の凸リブ１２ｃが形成されている。また、前壁１０ｃの下端部には、下端へ向かうに従ってその厚さが厚くなる傾斜面１３が形成されている。これら補強リブ１２ａ、１２ｂ、凸リブ１２ｃ、傾斜面１３により、前壁１０ｃの歪みが抑制される。また傾斜面１３には、左右方向に配列された６本の掛止爪１４が突設される。この掛止爪１４は、側方から見て、下面が傾斜し上面が水平な略「フ」字状となっている。また掛止爪１４の突出高さは、カバー１０を前ケース２０に固定したときに、掛止爪１４の突出端が被掛止部２６ａの突出端と撓み部２６の前面との間に位置する高さに設計されている。そして前壁１０ｃの下端中央部には、図１（ｂ）に示すように、前壁１０ｃよりも厚く且つ下方へ向かうに従ってその厚みが増加する傾斜部１５が形成されている。上記傾斜部１５の傾斜角度は、前壁１０ｃの傾斜角度と撓み部２６の傾斜角度との間の角度となっている。
【００７９】
最後に、カバー１０の固定及び取り外しについて説明する。
【００８０】
カバー１０をケース１に固定するには、まず、嵌合片１１ｃが嵌合溝２８ｂと嵌合孔２８ｃの間に来る高さでカバー１０を水平方向後方へ押し込み、左右の側壁１０ｃの後面をベース２１の前面に当接させる。次に、カバー１０を下方へスライドさせ、嵌合片１１ｂを嵌合溝２８ｂに差し込むことで、カバー１０は前ケース２０に対して上下方向にスライド自在に係止される。ここからカバー１０を下方へスライドさせると、前壁１０ｃに設けられた掛止爪１４の下部が、前ケース２０の前面に形成された被掛止部２６ａに当接する。カバー１０をさらに下方へスライドさせると、掛止爪１４が被掛止部２６ａを押込み、撓み部２６を後方へとたわませる。カバー１０をさらに下方へスライドさせて掛止爪１４が被掛止部２６ａの下方へ達すると、後方へ押込まれていた撓み部２６が前方へと復帰する。このとき、被掛止部２６ａによって掛止爪１４の上方への移動が制限され、カバー１０が前ケース２０に固定される。このとき、補助嵌合片１１ａは補助嵌合孔２８ａに、係止突起１１ｄは嵌合孔２８ｃに各々嵌着されており、傾斜面１３がスペーサ部２５ｃに当接している。また、撓み部２６と傾斜部１５との間には上方へ向かうに従って狭くなる隙間Ｂが生じ（図１（ｂ）参照）、傾斜部１５の下端と撓み部２６との間には図９に示すように開口Ａが生じている。
【００８１】
カバー１０を前ケース２０から取り外すには、まず、撓み部２６と傾斜部１５下端との間に生じた開口Ａに、下方から治具Ｊを挿入する。次に、この治具Ｊを上方へと押込む。ここで傾斜部１５は厚みを持っているため、治具Ｊの押込みに伴う前壁１０ｃの歪みは、傾斜部１５がない場合と比較して小さくなる。また、撓み部２６と傾斜部１５との間には上方へ向かうに従って狭くなる隙間Ｂが形成されているため、治具Ｊの押込みがしやすくなっている。このように治具Ｊを上方へ押込むと、撓み部２６は治具Ｊによって水平方向後向き（図１（ｂ）の右向き）に押込まれ、撓み部２６と傾斜部１５との間の隙間Ｂが拡張される。よって、治具Ｊを所定の位置まで上方へ押込むだけで、掛止爪１４が被掛止部２６ａから掛け外されることになる。この状態から、カバー１０を上方へスライドさせて嵌合片１１ｂを嵌合溝２８ｂから外して、カバー１０を取り外すことができる。
【００８２】
以上のように、本実施形態の熱線センサ付自動スイッチＴＳは、カバー１０の前壁１０ｃの中央部下端に、撓み部２６と傾斜部１５との間に上方へ向かうに従って徐々に狭くなる隙間Ｂが形成されるように、傾斜部１５を形成している。これによって、カバー１０を取り外す際に治具Ｊを水平方向に押込む必要がなくなり、掛止爪１４を掛け外す際のカバー１０の歪みが従来よりも小さくなる。従って、従来のようにカバー１０の左右の側壁１０ｂと前ケース２０の側面が密接するおそれが小さくなり、カバー１０の取り外しが容易になる。
【００８３】
本実施形態では、電気機器として熱線センサ付自動スイッチを例示したが、本発明の技術的思想が適用可能な電気機器は熱線センサ付自動スイッチに限定されるものではなく、例えば従来例で挙げた防水コンセントのように防水性の必要な電気機器であればよい。
（実施形態２）
本発明の第２の実施形態を、図１０（ａ）を参照して説明する。ただし図１０（ａ）では、本実施形態の特徴を強調するためにカバー１０の構造を模式的に示してある。なお本実施形態は、掛止爪１４の構造以外は上記実施形態１と同様であるので、共通の構成要素については同一の符号を付して説明を省略する。
【００８４】
本実施形態の掛止爪１４は、実施形態１と同様側方から見て略「フ」字状の６本の爪状部位からなる。そして、傾斜部１５に近い掛止爪１４ａの突出高さが最も高く、傾斜部１５から離れるに従ってその突出高さが低くなることを特徴としている。
【００８５】
カバー１０を前ケース２０から取り外す際、撓み部２６と傾斜部１５下端の開口Ａに治具Ｊを挿入すると、前壁１０ｃには歪みが生じる。このとき、掛止爪１４の突出高さが全て同じであるとすると、傾斜部１５に近い掛止爪１４ａは被掛止部２６ａから外れているが、傾斜部１５から離れた掛止爪１４ｃは被掛止部２６ａに掛かった状態となる。
【００８６】
これに対し、本実施形態のように掛止爪１４の突出高さを傾斜部１５から離れるに従って低くすると、治具Ｊの挿入によって前壁１０ｃが歪んでも、図１０（ａ）に示すように傾斜部１５に近い掛止爪１４ａが被掛止部２６ａから外れると同時に、傾斜部１５から離れた掛止爪１４ｃも被掛止部２６ａから外れることになる。すなわち、掛止爪１４の突出高さが全て同じ場合と比較して、少ない治具Ｊの押込み量によって掛止爪１４が被掛止部２６ａから掛け外される。これにより、カバー１０を取り外す際に前壁１０ｃの余計な歪みが抑えられ、容易にカバー１０を取り外すことができる。
【００８７】
尚、本実施形態では左右３本ずつの掛止爪１４ａ、１４ｂ、１４ｃを用いたが、掛止爪１４はこれに限られるものではない。例えば掛止爪１４として、図１０（ｂ）に示すように、その突出高さが傾斜部１５に近い場所では高く傾斜部１５から離れるに従って低くなるように勾配をつけた、左右１本ずつの掛止爪１４ｄを用いてもよい。
【符号の説明】
【００８８】
１    ケース
２    機器本体
１０    カバー
１４    掛止爪
１５    傾斜部
２０    前ケース
２２    突台
２５    台座部
２６    撓み部
２６ａ  被掛止部
３０    後ケース
【図１】
2010258238.tif 000003
【図２】
2010258238.tif 000004
【図３】
2010258238.tif 000005
【図４】
2010258238.tif 000006
【図５】
2010258238.tif 000007
【図６】
2010258238.tif 000008
【図７】
2010258238.tif 000009
【図８】
2010258238.tif 000010
【図９】
2010258238.tif 000011
【図１０】
2010258238.tif 000012